【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
導電性のサイジング(sizing)組成物で被覆したガラスストランドであって、該サイジング組成物が、少なくとも一つの膜形成剤、可塑剤、界面活性剤及び分散剤の中から選択した少なくとも一つの化合物、該ガラスにカップリングするための少なくとも一つのカップリング剤並びに導電性粒子を、含んでなるガラスストランド。
【請求項２】
膜形成剤が、ポリビニルアセテート（ホモポリマー又はコポリマー）、ポリエステル、エポキシ、ポリアクリル酸（ホモポリマー又はコポリマー）、ポリウレタン、ポリアミド、セルロースポリマー及びこれらの化合物の混合物から選択したポリマーであることを特徴とする、請求項１に記載されたガラスストランド。
【請求項３】
膜形成剤がポリビニルアセテート、エポキシ又はポリウレタンであることを特徴とする、請求項２に記載されたガラスストランド。
【請求項４】
可塑剤、界面活性剤及び分散剤が、有機化合物から、並びに無機化合物から選択されていることを特徴とする、請求項１〜３のいずれか１項に記載されたガラスストランド。
【請求項５】
前記有機化合物が、脂肪族化合物若しくは芳香族化合物、ポリアルコキシル化した化合物、ポリアルコキシル化した脂肪酸エステル及びアミン化合物であることを特徴とする、請求項４に記載のガラスストランド。
【請求項６】
前記脂肪族化合物若しくは芳香族化合物がハロゲン化されていることを特徴とする、請求項５に記載のガラスストランド。
【請求項７】
カップリング剤が、シラン、シロキサン、チタン酸塩、ジルコン酸塩及びこれらの化合物の混合物からなる群に属する加水分解型の化合物から選択されていることを特徴とする、請求項１〜６のいずれか１項に記載されたガラスストランド。
【請求項８】
導電性の粒子が、グラファイト及び／又はカーボンブラックをベースとする粒子であることを特徴とする、請求項１〜７のいずれか１項に記載されたガラスストランド。
【請求項９】
粒子が、異なる複数の形状を有する粒子の混合物の形態であることを特徴とする、請求項８に記載されたガラスストランド。
【請求項１０】
前記異なる複数の形状が二つ又は三つの形状であることを特徴とする、請求項９に記載されたガラスストランド。
【請求項１１】
粒子の３０〜６０％が５〜２０で変化するアスペクト比を有することを特徴とする、請求項８〜１０のいずれか１項に記載されたガラスストランド。
【請求項１２】
最大寸法(dimension)に沿った粒子の寸法(size)が２５０μｍを超えないことを特徴とする、請求項８〜１１のいずれか１項に記載されたガラスストランド。
【請求項１３】
前記粒子の寸法が１００μｍを超えないことを特徴とする、請求項１２に記載されたガラスストランド。
【請求項１４】
粒子が、１μｍを超えない粒子サイズのカーボンブラック粉末及びグラファイト粒子の混合物からなることを特徴とする、請求項１〜１３のいずれか１項に記載されたガラスストランド。
【請求項１５】
分散剤がカチオン性、アニオン性及び非イオン性化合物から選択されていることを特徴とする、請求項１〜１４のいずれか１項に記載されたガラスストランド。
【請求項１６】
組成物が、カルボキシメチルセルロース、グアーガム若しくはキサンタンガム、カラギナン、アルギン酸塩、ポリアクリル酸、ポリアミド、ポリエチレングリコール及びこれらの化合物の混合物から選択した粘性調整剤をさらに含むことを特徴とする、請求項１〜１５のいずれか１項に記載されたガラスストランド。
【請求項１７】
組成物が、添加剤として、潤滑剤、錯化剤及び消泡剤をさらに含むことを特徴とする、請求項１〜１６のいずれか１項に記載されたガラスストランド。
【請求項１８】
サイズ剤の量がストランドの３．５〜６質量％に相当することを特徴とする、請求項１〜１７のいずれか１項に記載されたガラスストランド。
【請求項１９】
請求項１〜１８のいずれか１項に記載されたガラスストランドを被覆することを意図したサイジング組成物であって、該組成物が質量％で以下：
−２〜１０％の少なくとも一つの膜形成剤；
−０．２〜８％の可塑剤、界面活性剤及び分散剤から選択した少なくとも一つの化合物；
−４〜２５％の導電性の粒子；
−０．１〜４％の少なくとも一つのカップリング剤；
−０〜４％の少なくとも一つの粘性調整剤；並びに
−０〜６％の添加剤、
を含むことを特徴とする、サイジング組成物。
【請求項２０】
前記少なくとも一つの膜形成剤が３〜８．５％であることを特徴とする、請求項１９に記載のサイジング組成物。
【請求項２１】
前記可塑剤、界面活性剤及び分散剤から選択した少なくとも一つの化合物が０．２５〜６％であることを特徴とする、請求項１９または２０に記載のサイジング組成物。
【請求項２２】
前記導電性の粒子が６〜２０％であることを特徴とする、請求項１９〜２１のいずれか１項に記載のサイジング組成物。
【請求項２３】
前記少なくとも一つのカップリング剤が０．１５〜２％であることを特徴とする、請求項１９〜２２のいずれか１項に記載のサイジング組成物。
【請求項２４】
前記少なくとも一つの粘性調整剤が０〜１．８％であることを特徴とする、請求項１９〜２３のいずれか１項に記載のサイジング組成物。
【請求項２５】
前記添加剤が０〜３％であることを特徴とする、請求項１９〜２４のいずれか１項に記載のサイジング組成物。
【請求項２６】
組成物の固体含有率が８〜３５％で変化することを特徴とする、請求項１９〜２５のいずれか１項に記載された組成物。
【請求項２７】
前記固体含有率が１２〜２５％であることを特徴とする、請求項２６に記載された組成物。
【請求項２８】
請求項１９〜２７のいずれか１項に記載された組成物を調製する方法であって、以下のステップ：
ａ）分散剤（dispersant)を含む水中に導電性粒子の分散体（dispersion)Ｄを生成すること；
ｂ）エマルジョンＥを生成するために水中に、他のサイズ成分、すなわち膜形成剤、可塑剤、界面活性剤、加水分解形態のカップリング剤を導入すること；並びに
ｃ）分散体ＤをエマルジョンＥと混合すること、
を含む方法。
【請求項２９】
ステップｂ）において、粘性調整剤及び添加剤を導入することを特徴とする、請求項２８に記載の方法。
【請求項３０】
導電性粒子の沈殿を防ぐために、ステップａ）及びｃ）は十分な攪拌を伴って実施されることを特徴とする、請求項２８または２９に記載された方法。
【請求項３１】
少なくとも一つの熱硬化性ポリマー材料が強化ストランドと結合されている複合材料であって、該ストランドが部分的にまたは完全に請求項１〜１８のいずれか１項に記載したガラスストランドからなることを特徴とする複合材料。
【請求項３２】
複合材料中のガラス含有率が５〜６０％であることを特徴とする、請求項３１に記載された複合材料。
【請求項３３】
複合材料がＳＭＣの形態にあること、及びガラス含有率が１０〜６０％であることを特徴とする、請求項３１又は３２のいずれかに記載された複合材料。
【請求項３４】
前記ガラス含有率が２０〜４５％であることを特徴とする、請求項３３に記載の複合材料。
【請求項３５】
複合材料がＢＭＣの形態にあること、及びガラス含有率が５〜２０％であることを特徴とする、請求項３１又は３２のいずれかに記載された複合材料。
【請求項３６】
圧縮成型の技術を使用して導電性の成型した部品を製造するために、請求項１〜１８のいずれか１項に記載されたガラスストランドを使用する方法であって、該ストランドはＳＭＣ又はＢＭＣ形態で使用される方法。
【請求項３７】
ガラスストランドマットであって、該ストランドが部分的に又は完全に請求項１〜１８のいずれか１項に記載されたガラスストランドからなることを特徴とする、ガラスストランドマット。
【請求項３８】
ガラスストランドベール（覆い）であって、該ストランドが部分的に又は完全に請求項１〜１８のいずれか１項に記載されたガラスストランドからなることを特徴とする、ガラスストランドベール。